(57)【要約】【課題】自動販売機の収納棚への収納及び商品の排出（取り出し）を円滑に行うことができ、且つ商品である焼き芋を均一の温度で保温できる缶入り焼き芋を提供する。【解決手段】上蓋１ａで封印可能な円筒缶１ｂからなる容器缶１に、専用の石焼釜等で焼成された焼き芋２をプラスチックフィルム（ポリエステル）等のパウチ３で真空パックしたものを封入する。【選択図】図１
0003222339.tif 000002
【実用新案登録請求の範囲】
【請求項１】
開封直後に喫食可能な容器入りの焼き芋であって、少なくとも、前記焼き芋は、生芋を焼成して真空パックした無菌化された真空パックごと一端が開口した筒状の空缶内に収納し缶蓋で閉じたことを特徴とする缶入り焼き芋。
【請求項２】
缶蓋が人力で離脱可能な印籠継ぎ蓋であることを特徴とする請求項１記載の缶入り焼き芋。
【請求項３】
缶蓋がプルタブを引き起こして開缶するプルトップ蓋であることを特徴とする請求項１記載の缶入り焼き芋。
【考案の詳細な説明】
【技術分野】
【０００１】
本考案は、自動販売機で販売する際に便利な缶入り焼き芋に関するものである。
【背景技術】
【０００２】
従来、焼き芋は、主に専用の石焼釜等を備えた屋台や軽トラックによる露天販売で入手して喫食するものであったが、屋台が減少した今はスーパーマーケットやコンビニエンスストアの石焼釜ブースなどでも販売されている。
【０００３】
また、一般家庭での甘藷（サツマイモ）の調理方法としては、蒸かし芋やグリル芋、スティック状に細切りした甘藷を油で揚げたものに糖蜜を絡めた所謂「大学芋」、生芋を蒸して裏ごしをし、バターや卵黄を加えて練ったスイートポテト等が良く知られている。しかしながら、いずれの調理方法も手間がかかる。そもそも、サツマイモの喫食形態として、素朴な味わいの焼き芋には捨てがたい魅力がある。
【０００４】
最近では家庭用の「石焼き芋器」も市販されており、家庭でも手軽に石焼き芋が楽しめるようになってきているが、調理に手間がかかる点では上記と同様である。
【０００５】
そこで、例えば、特許文献１に記載された容器入り焼き芋（真空パックされた焼き甘藷）が知られている。この容器入り焼き芋は、健康に良い食物繊維を多く含んだ焼き芋（焼いたサツマイモ）を手軽にいつでもどこでも喫食できるように、例えば、圃場から収穫した生のサツマイモ（甘藷）を洗い、この洗ったサツマイモを焼き、この焼いたサツマイモを１個まるごと皮付きの状態のまま真空パックしたものである。
【０００６】
また、無菌化したスティック状の焼き芋を、喫食する際に皮を剥く必要ないように、皮無し状態でガスバリア性のある透明な袋状容器に充填収納し、開封して即食することが可能な容器入り焼き芋（特許文献２参照。）が提案されている。
【先行技術文献】
【特許文献】
【０００７】
【特許文献１】特開２００４−３５７６６３号公報
【特許文献２】実用新案登録第３１８６６０１号公報
【考案の概要】
【考案が解決しようとする課題】
【０００８】
本考案者もまた、焼き芋を手軽に、しかも温かい状態のままで喫食するために、既設のホット飲料等を販売する自動販売機を利用して販売することを着想した。しかしながら、従来のような単なる真空パックでは、衛生状態は維持できるもの焼き芋が潰れて変形するという問題やパック形状が乱雑で不均一であるため、自動販売機内で目詰まりを起こす。また、そのため、商品を均一に保温できないといった問題が発生する。
本考案は、上記従来技術の課題に鑑み、自動販売機の収納棚への収納及び商品の排出（取り出し）を円滑に行うことができ、且つ商品である焼き芋を均一の温度で保温できる缶入り焼き芋を提供することを目的とする。
【課題を解決するための手段】
【０００９】
このため、本考案に係る缶入り焼き芋は、開封直後に喫食可能な容器入りの焼き芋であって、少なくとも、前記焼き芋は、生芋を焼成して真空パックした無菌化された真空パックごと一端が開口した筒状の空缶内に収納し缶蓋で閉じたことを特徴とする。また、缶蓋が人力で離脱可能な印籠継ぎ蓋であることを第２の特徴とする。さらに、缶蓋がプルタブを引き起こして開缶するプルトップ蓋であることを第３の特徴とする。
【考案の効果】
【００１０】
本考案は以下の優れた効果を奏する。
（１）焼き芋を缶入りにしたことで、自動販売機による販売が簡便になり、購入直後に手軽に喫食できる。とくに、既製の自動販売機の収納棚に収納可能な缶サイズに対応させれば、他の缶入り飲料やペットボトル飲料と同じ販売機で販売が可能になる。
（２）滅菌した状態の焼き芋を真空引きしたパウチでパックすることで、衛生的で長期の保存が可能になる。
（３）パックした焼き芋を更に缶入りとすることで、外径が潰れずにふっくらとした状態を保持でき、風味や食感を損なうことがない。
【図面の簡単な説明】
【００１１】
【図１】本考案に係る缶入り焼き芋の一実施例を示す分解斜視図である。
【図２】本考案に係る缶入り焼き芋の他の実施例を示す斜視図である。
【図３】本考案に係る缶入り焼き芋の販売状態を示す参考斜視図である。
【考案を実施するための形態】
【００１２】
以下、図面に示す実施例に基づいて本考案の実施形態を説明する。
【実施例】
【００１３】
図１は、本考案の実施形態に係る缶入り焼き芋を示すものであり、この缶入り焼き芋は、上蓋１ａで封印可能な円筒缶１ｂからなる容器缶１に、専用の石焼釜等で焼成された焼き芋２をプラスチックフィルム（ポリエステル）やこのプラスチックフィルム等のパウチ３で真空パックしたものを円筒缶１ｂ内に投入するようにされている。尚、パウチ３は、さらにアルミニウム箔を積層したレトルトパウチでもよい。
【００１４】
容器缶１は、焼き芋２を収容する前の状態では、上部が開口した有底の円筒缶１ｂと、円筒缶１ｂの上部の開口を閉蓋する上蓋１ａとを備える。円筒缶１ｂは、焼き芋２が十分に納まる容積とされるが、円筒缶１ｂの内径は、パックされた焼き芋２がほぼぴったりと内部に収まり、潰れずにふっくらとした状態を保持できる大きさであることが好ましい。
【００１５】
上蓋１ａは、円筒缶１ｂに人力で離脱可能な印籠継ぎされて嵌合され、円筒缶１ｂの上部開口を全面オープンさせるフルオープンタイプであって、人手で引き上げて開蓋できるようになっている。尚、焼き芋２は、品質保持素剤を同封して真空パックすれば長期保存も可能になる。品質保持剤としては、酸素及び炭酸ガスの吸着性能を有する脱酸素剤（例えば、三菱瓦斯化学株式会社製の商品名「エージレス−Ｅ」等）を使用する。
【００１６】
缶蓋１ａ及び円筒缶１ｂは、内面がメッキされたブリキ材で形成したフルオープン缶であって、これらの外面は公知の樹脂塗装を施してある。そして、円筒缶１ｂの開口部内周に突条１ｃが形成されて、円筒缶１ｂに密着した状態で着脱可能に嵌合し、前記開口を開閉可能に閉蓋できるようにされている。
【００１７】
そして、専用の石焼釜等で焼成した焼き芋２を、真空引きで密封パックして空気中の雑菌を除去する。好ましくは、更に高温の蒸気でパックごと蒸煮して滅菌することで長期の保存も可能になり、炊き立て芋の風味と食感を長期間にわたりいつでも楽しむことができる。
【００１８】
図２は、本考案に係る缶１の他の実施例を示すもので、上部が開口した円筒缶１ｂの内部を気密状態で一体に巻き締めした上蓋４を備えている。この上蓋４は、所謂プルトップ蓋とされており、指先などを係止して引き起こし、上蓋４全体を引き剥がして円筒缶１ｂ開口をフルオープン可能なプルタブ４ａを備えている。
【００１９】
図３に示すように、本考案に係る缶入り焼き芋は、例えば、コーヒー、紅茶、スープ等の飲料を缶に入れ、機内の商品収納部に収納されて加熱した缶商品５を販売するホット商品自動販売機又はペットボトル６入りの飲料水やジュースといったコールド飲料等も併売できる冷温兼用の自動販売機７等で販売できる。
【００２０】
ホット商品の加熱方式としては、商品収納棚を収能された缶商品を所定の温度で保温する庫内加熱ヒーターにより、ホット飲料として適した販売温度に加熱、昇温した状態で貯蔵し、貨幣投入及び商品選択ボタンを押圧することによる販売指令に応じて商品収納棚から払い出された缶商品を商品取出口へ送出する。
【００２１】
尚、缶容器１がプルトップ缶や缶体１ｂと蓋体１ａの嵌め合い状態が良好であれば、水密性を十分に確保できるので、その嵌合部分に防水テープ等を巻回貼付する必要はないが、防水テープで密封することで、いたずらなどでシール性が破られると、既に開封されていることが明白となる効果は発揮する。また、缶１をリターナブル缶として、開缶後すぐにその場で返却できる返却ケース７を隣接して配置するものでもよい。
【産業上の利用可能性】
【００２２】
以上、本考案の実施の形態を説明したが、本考案は上記実施例に限定されるものではなく、実用新案登録請求の範囲の趣旨を逸脱しない限りにおいて、種々の変更が可能である。本考案は、開封してから焼き芋を取り出す際に、衛生的かつ円滑に取り出すことができる。また、災害時の非常食としての備蓄食料としても有用である。
【符号の説明】
【００２３】
１    容器缶
１ａ  上蓋（蓋体）
１ｂ  円筒缶（缶体）
１ｃ  突条
２    焼き芋
３    パウチ
４    プルトップ蓋（上蓋）
４ａ  プルタブ
５    ホット飲料
６    ペットボトル飲料
７    缶商品の自動販売機
８    返却ケース
【図１】
0003222339.tif 000003
【図２】
0003222339.tif 000004
【図３】
0003222339.tif 000005